(57)【要約】【課題】  建物の部屋に入る日射しの大まかな状況を簡単かつ手軽に確認でき、可搬性に優れ多用途に利用可能な太陽方位シートを提供する。【解決手段】  太陽方位シート１は、透明シート２に、方角を示す方角図記号３と、所定地域における夏至、冬至および春分・秋分の、日の出から日の入りまでの２時間毎の太陽の方位を示す太陽方位図記号４と、所定地域における夏至、冬至および春分・秋分の日の出から日の入りまでの２時間毎の太陽光の進入角度とが印刷されている。【選択図】        図１
2005174242.tif 000002
【特許請求の範囲】
【請求項１】
透明シートに、
方角を示す方角図記号と、
所定地域における少なくとも夏至と冬至の日の出から日の入りまでの所定時刻毎の太陽の方位を示す太陽方位図記号と、
所定地域における少なくとも夏至と冬至の日の出から日の入りまでの所定時刻毎の太陽光の進入角度を示す太陽進入角度図記号と、
を印刷したことを特徴とする太陽方位シート。
【請求項２】
請求項１に記載の太陽方位シートにおいて、
前記太陽方位図記号は、所定地域における春分・秋分の日の出から日の入りまでの所定時刻毎の太陽の方位を含むことを特徴とする太陽方位シート。
【請求項３】
請求項１または請求項２に記載の太陽方位シートにおいて、
前記方角図記号を、十字型に形成し、
前記太陽方位図記号を、方角図記号の周囲に配置したことを特徴とする太陽方位シート。
【発明の詳細な説明】
【技術分野】
【０００１】
本発明は、建物の部屋に入る日射しの大まかな状況が手軽に確認できる可搬性に優れた太陽方位シートの技術分野に属する。
【背景技術】
【０００２】
住宅の販売時などに、住宅の窓からどのように日射しが入るかをクライアントに分かりやすく説明する方法としては、コンピュータシミュレーションを用いた技術がある。この従来技術では、対象住宅の敷地、対象住宅の周辺の建造物や山や樹木等の物体、および対象住宅の戸別の室内の、各々の形状および相対的な位置関係を示す３次元データをコンピュータに入力することにより、建物内外の日当たり状況を再現できる（例えば、特許文献１参照）。
【特許文献１】特開平１１−３０６２１２号公報
【発明の開示】
【発明が解決しようとする課題】
【０００３】
しかしながら、上記従来技術にあっては、一件毎に多数の３次元データを入力しなければならず、一件当たりの作成に大変な手間と時間とを要するため、手軽に全件実施することは難しい。また、コンピュータが必須の構成であるため、コストが高くつくとともに、可搬性に乏しく、クライアント説明用として、営業担当が出先や現場等で手軽に使用することが困難である。
【０００４】
さらに、住宅の設計段階において、クライアントは購入しようとする住宅の所定の窓に、大体何時から何時まで日が入るのかという大まかな日照状況が解ればいいのであり、各部屋毎の日照時間等、詳細な情報は不必要な場合が多い。
【０００５】
本発明は、上記問題に着目してなされたもので、その目的とするところは、建物の部屋に入る日射しの大まかな状況を簡単かつ手軽に確認でき、可搬性に優れ多用途に利用可能な太陽方位シートを提供することにある。
【課題を解決するための手段】
【０００６】
上述の目的を達成するため、本発明の太陽方位シートにあっては、透明シートに、方角を示す方角図記号と、所定地域における少なくとも夏至と冬至の日の出から日の入りまでの所定時刻毎の太陽の方位を示す太陽方位図記号と、所定地域における少なくとも夏至と冬至の日の出から日の入りまでの所定時刻毎の太陽光の進入角度を示す太陽進入角度図記号と、を印刷したことを特徴とする。
【発明の効果】
【０００７】
本発明の太陽方位シートにおいては、建物図面と方角を一致させた状態で、任意の窓の位置に太陽方位図記号を重ねるという簡単な作業でもって、当該窓から部屋に入る日射しの時刻毎の方位を手軽にチェックできる。よって、住宅を販売する際、クライアントに対して個々の物件の大まかな日当たり状況を、簡単かつ手軽に説明できる。また、時刻毎の太陽光の進入角度が判るため、隣接建物との距離等を考慮した三次元的なチェックが可能である。
【０００８】
さらに、透明シートに方角図記号、太陽方位図記号および太陽進入角度図記号を印刷するだけで作製できるため、安価で場所を取らず、可搬性に優れ、手軽に持ち運びできるため、クライアント説明用のみならず、設計時におけるラフチェック等、多用途に利用できる。
【発明を実施するための最良の形態】
【０００９】
以下、本発明の太陽方位シートを実施するための最良の形態を、実施例１に基づいて説明する。
【実施例１】
【００１０】
まず、構成を説明する。
図１は、実施例１の太陽方位シートの構成を示す平面図である。
実施例１の太陽方位シート１は、所定地域、例えば東京地区の建物の部屋に入る日射しをチェックするものであり、透明シート２に、東西南北の方角を示す方角図記号３と、太陽の方位を示す太陽方位図記号４とが印刷されている。
【００１１】
前記方角図記号３は、透明シート２の中央部分に、四方を表す十字形図形の中心３ａが配置され、十字の各先端に、対応する方角の頭文字が配置されている。
【００１２】
太陽方位図記号４は、方角図記号３の中心３ａを基準として、東京地区における日の出から日の入りまでの太陽の方位を示すものである。この太陽方位図記号４は、中心３ａから近い順に、扇形に形成された冬至の太陽方位図記号４ａ、環状の帯形に形成された春分・秋分の太陽方位図記号４ｂ、環状の帯形に形成された夏至の太陽方位図記号４ｃが配置されている。
【００１３】
各図記号４ａ〜４ｃには、朝8:00〜夕方16:00まで２時間毎の太陽の方位を表す区切線６が設定されている。この区切線６は、中心３ａから放射状に配置されている。また、区切線６の付近には、対応する時刻における中心３ａを基準とする太陽光の入射角が記載されている。
【００１４】
透明シート２上において、方角図記号３で仕切られた東南部分の角には、太陽を示す太陽図記号５が配置されている。
【００１５】
次に、作用を説明する。
実施例１の透明シート２を用いて、例えば、図２に示す図面の自宅の南側に隣家があり、図中右斜め上が北である場合、自宅の窓には何時頃までに入るのかを検討する。
【００１６】
まず、図３に示すように、方角図記号３の中心３ａを、自宅の窓の位置に重ねるとともに、図面の北と方角図記号３の北の方向を揃えた状態で、透明シート２を図面上に重ね合わせる。
【００１７】
このとき、隣家の庇を考慮すると、隣家の庇の影は、図中の矢印の方向に延び、自宅の窓の東端部分から室内には、冬至においては日の出から朝10:00までは日が入ることが判る。
【００１８】
また、図４に示すように、冬至の朝10:00における隣家の影の方向が判るため、窓から自宅内にどの程度の範囲で日が入るのかも容易に検討できる。
【００１９】
次に、効果を説明する。
実施例１の太陽方位シート１にあっては、以下の効果が得られる。
【００２０】
(1) 建築図面の北に方角図記号３の北を合わせ、図面の任意の窓に方角図記号３の中心３ａを揃えた状態で、透明シート２を図面に重ね合わせるだけで、窓から部屋に入る日射しの時刻毎の方位と進入角度を手軽にチェックできる。よって、住宅を販売する際、クライアントに対して個々の物件の大まかな日当たり状況を、簡単かつ手軽に説明できる。
また、営業用のみならず、設計時におけるラフチェック等においても、設計図面の各窓に対する大まかな日当たりを簡単にチェックできる。加えて、時刻毎の太陽光の進入角度が判るため、隣接建物との距離等を考慮した三次元的なチェックが可能である。
また、透明シート２に方角図記号３、少なくとも夏至と冬至の太陽方位図記号４および太陽進入角度を印刷するだけで作製できるため、安価で場所を取らず、可搬性に優れ、手軽に持ち運んで多用途に利用できる。
【００２１】
(2) 太陽方位図記号４は、冬至の太陽方位図記号４ａと、夏至の太陽方位図記号４ｃに加え、春分・秋分の太陽方位図記号４ｂを備えるため、３つの代表的な期日の太陽方位に基づいて、他の日付における太陽方位を容易に判断できる（請求項２に対応する効果）。
【００２２】
(3) 方角図記号３を十字型に形成し、十字の中心３ａを基準として周囲に太陽方位図記号４を配置したため、建築図面の窓への位置合わせを簡単に実施できる（請求項３に対応する効果）。
【００２３】
(4) 透明シート２上において、方角図記号３で仕切られた東南部分の角に、太陽を示す太陽図記号５を配置したため、透明シート２を建築図面に重ね合わせるとき、方角図記号３を参照することなく方角を容易に判断できる。
また、太陽方位シート１を他の書類と一緒に持ち運んだり、デスク上で他の書類に混入している場合でも、太陽図記号５が目印となるため、容易に探し出すことができる。
【００２４】
（他の実施例）
以上、本発明を実施する最良の形態を、実施例１に基づいて説明したが、具体的な構成は実施例１に限定されるものではなく、発明の要旨を逸脱しない範囲の設計変更等があっても本発明に含まれる。
【００２５】
例えば、実施例１では、日の出日の入りに加え、8:00〜16:00で２時間毎に太陽の方位と高さを記載したが、１時間毎や1.5時間毎でも構わない。
【図面の簡単な説明】
【００２６】
【図１】太陽方位シートの構成を示す平面図である。
【図２】実施例１の作用を示す説明図である。
【図３】実施例１の作用を示す説明図である。
【図４】実施例１の作用を示す説明図である。
【符号の説明】
【００２７】
１  太陽方位シート
２  透明シート
３  方角図記号
４  太陽方位図記号
４ａ  冬至の太陽方位図記号
４ｂ  春分・秋分の太陽方位図記号
４ｃ  夏至の太陽方位図記号
５  太陽図記号
６  区切線
【図１】
2005174242.tif 000003
【図２】
2005174242.tif 000004
【図３】
2005174242.tif 000005
【図４】
2005174242.tif 000006